(57)【要約】【課題】データ数の増加によりデータの欠落またはレートの低下の発生を防ぐこと。【解決手段】処理負荷判定部１０３は、受信信号の受信処理または送信信号の送信処理に伴う処理負荷を判定する。制御信号生成部１０４は、処理負荷判定部１０３において判定した処理負荷に基づいてデータサイズを決定するとともに、決定したデータサイズを通知する制御信号を生成する。送信処理部１０５は、制御信号生成部１０４において生成した制御信号を送信する。【選択図】図１
2011055119.tif 000002
【特許請求の範囲】
【請求項１】
受信信号の受信処理または送信信号の送信処理に伴う処理負荷を判定する判定手段と、
判定した前記処理負荷に基づいてデータサイズを決定するとともに、決定した前記データサイズを通知する制御信号を生成する生成手段と、
生成した前記制御信号を送信する第１の送信手段と、
を具備する通信端末装置。
【請求項２】
前記判定手段は、前記受信処理または前記送信処理におけるアイドル時間より求めた占有率としきい値との比較により前記処理負荷を判定し、
前記生成手段は、前記占有率がしきい値以上の場合には、前記占有率がしきい値未満の場合に比べて大きい前記データサイズを決定する請求項１記載の通信端末装置。
【請求項３】
データを格納するバッファ手段をさらに具備し、
前記判定手段は、前記バッファ手段に格納するデータ蓄積量としきい値との比較により前記処理負荷を判定し、
前記生成手段は、前記データ蓄積量がしきい値以上の場合には、前記データ蓄積量がしきい値未満の場合に比べて大きい前記データサイズを決定する請求項１記載の通信端末装置。
【請求項４】
前記判定手段は、前記受信処理または前記送信処理におけるデータ処理遅延時間としきい値との比較により前記処理負荷を判定し、
前記生成手段は、前記データ処理遅延時間がしきい値以上の場合には、前記データ処理遅延時間がしきい値未満の場合に比べて大きい前記データサイズを決定する請求項１記載の通信端末装置。
【請求項５】
前記生成手段は、前回送信または受信したデータの前記データサイズに対する大小を通知する前記制御信号を生成する請求項１記載の通信端末装置。
【請求項６】
前記生成手段は、受信データの前記データサイズを通知する前記制御信号を生成する請求項１記載の通信端末装置。
【請求項７】
前記生成手段は、送信データの前記データサイズを通知する前記制御信号を生成する請求項１記載の通信端末装置。
【請求項８】
請求項１記載の通信端末装置から送信された前記制御信号を受信する基地局装置であって、
受信した前記制御信号に基づいて前記データサイズを決定する決定手段と、
決定した前記データサイズのデータを送信する第２の送信手段と、
を具備する基地局装置。
【請求項９】
請求項１記載の通信端末装置から送信された前記制御信号を受信する基地局装置であって、
受信した前記制御信号に基づいて前記データサイズを決定する決定手段と、
決定した前記データサイズの情報を送信する第２の送信手段と、
を具備する基地局装置。
【請求項１０】
通信端末装置と基地局装置とを具備する伝送システムであって、
前記通信端末装置は、
受信信号の受信処理または送信信号の送信処理に伴う処理負荷を判定する判定手段と、
判定した前記処理負荷に基づいてデータサイズを決定するとともに、決定した前記データサイズを通知する制御信号を生成する生成手段と、
生成した前記制御信号を送信する第１の送信手段と、
を具備し、
前記基地局装置は、
前記制御信号を受信する受信手段と、
受信した前記制御信号に基づいて前記データサイズを決定する決定手段と、
決定した前記データサイズのデータを送信する第２の送信手段と、
を具備する伝送システム。
【請求項１１】
通信端末装置と基地局装置とを具備する伝送システムであって、
前記通信端末装置は、
受信信号の受信処理または送信信号の送信処理に伴う処理負荷を判定する判定手段と、
判定した前記処理負荷に基づいてデータサイズを決定するとともに、決定した前記データサイズを通知する制御信号を生成する生成手段と、
生成した前記制御信号を送信する第１の送信手段と、
を具備し、
前記基地局装置は、
前記制御信号を受信する受信手段と、
受信した前記制御信号に基づいて、前記第１の送信手段により送信するデータの前記データサイズを決定する決定手段と、
決定した前記データサイズの情報を送信する第２の送信手段と、
を具備する伝送システム。
【請求項１２】
受信信号の受信処理または送信信号の送信処理に伴う処理負荷を判定するステップと、
判定した前記処理負荷に基づいてデータサイズを決定するとともに、決定した前記データサイズを通知する制御信号を生成するステップと、
生成した前記制御信号を送信するステップと、
を具備する通信方法。
【発明の詳細な説明】
【技術分野】
【０００１】
本発明は、例えばＰＤＵ（Protocol Data Unit；プロトコルデータユニット）サイズを可変にする通信端末装置、伝送システム及び通信方法に関する。
【背景技術】
【０００２】
近年、伝送レートの高速化に伴うさまざまな技術が考案されている。例えば、３ＧＰＰ  Ｒｅｌ７で仕様が定義されているＨＳＰＡ＋（High Speed Packet Access Plus）は、基地局装置から通信端末装置への下り最大送信レートが２８．８Ｍｂｐｓ、及び通信端末装置から基地局装置への上り最大送信レートが１１．４Ｍｂｐｓとなるシステムである。
【０００３】
従来、３ＧＰＰで標準化される通信システムであるＵＭＴＳ(Universal Mobile Telecommunications System)をはじめ、一般的な伝送システムでは、データ伝送は、データを分割し、分割したデータにヘッダなどの制御情報を付加して送受信する方法が一般的である。ここで、分割したデータ毎に制御情報を付加した各々の固まりをＰＤＵと呼ぶ。しかし、データの伝送速度が高速になると、制御情報のオーバヘッドが大きくなるという課題がある。この課題を解決するために、ＨＳＰＡ＋において、ＰＤＵサイズを可変にする方法が採用されている（例えば、非特許文献１及び非特許文献２）。
【０００４】
非特許文献１及び非特許文献２では、伝搬路状況及び通信速度により、送信データのＰＤＵサイズを制御する。即ち、高い伝送レートの場合はＰＤＵサイズを大きくすることにより、ヘッダなどのオーバヘッドを削減し、高効率な伝送を可能とする。一方、無線伝送では、伝搬路の状態によって伝送できる速度が変動する。この結果、伝搬路の品質が悪い条件において、ＰＤＵサイズが大きい場合、誤りが発生したＰＤＵを再送する必要があるので、伝送効率が低下する。従って、伝搬路の品質が悪い場合は、ＰＤＵのサイズを小さくすることにより、伝送効率を高めることができる。
【０００５】
しかし、非特許文献１及び非特許文献２の場合、所定時間の平均的な伝搬路の品質を考慮して、ＰＤＵサイズを決定するため、平均的な伝搬路の状態が悪くても、瞬時的に伝搬路の状態がよい場合は、伝送レートが高いにもかかわらず、ＰＤＵのサイズが小さいままとなる。データ伝送における処理負荷は、処理するＰＤＵ数にほぼ比例するため、瞬時的に伝搬路の状態がよい場合、ＰＤＵ数が多くなる。その結果、通信端末装置において、受信するＰＤＵ数が通信端末装置の処理能力を超えている場合には、データの欠落またはレートの低下が発生するという課題がある。
【０００６】
この課題を解決する方法として、複数のＰＤＵをまとめることにより仮想的にＰＤＵサイズを大きくし、処理オーバヘッドを減らす方法が知られている（例えば、特許文献１）。
【０００７】
即ち、仮想的にＰＤＵサイズを大きくして、処理するＰＤＵ数を小さくすることにより、高いレートでも処理負荷を低減させることができる。特許文献１では、送信側が、複数の充分短いＩＰパケットを受信した場合に、同一のＩＰアドレス及びプレフィックス長を有する宛先毎に分類し、受信パケット長より長いＰＤＵに多重化して受信側の通信端末装置に向けて送信する。そして、パケット分離装置は、送信側が送信したＰＤＵを受信した場合に、多重化されている複数のＩＰパケットを個々のＩＰパケットに分離して受信側の通信端末装置へ転送する。
【先行技術文献】
【特許文献】
【０００８】
【特許文献１】特開２０００−２０９２２８号公報
【非特許文献】
【０００９】
【非特許文献１】3GPP TS 25.322; Radio Link Control (RLC) protocol specification, Release 8
【非特許文献２】3GPP TS 25.331; Radio Resource Control (RRC) protocol specification, Release 8
【発明の概要】
【発明が解決しようとする課題】
【００１０】
しかしながら、特許文献１においては、ＰＤＵサイズは固定的であるので、無線伝送のように伝搬路の状況が変化するシステムに適応できず、データの欠落またはレートの低下が発生するという問題がある。
【００１１】
本発明の目的は、データ数の増加によりデータの欠落またはレートの低下の発生を防ぐことができる通信端末装置、伝送システム及び通信方法を提供することである。
【課題を解決するための手段】
【００１２】
本発明の通信端末装置は、受信信号の受信処理または送信信号の送信処理に伴う処理負荷を判定する判定手段と、判定した前記処理負荷に基づいてデータサイズを決定するとともに、決定した前記データサイズを通知する制御信号を生成する生成手段と、生成した前記制御信号を送信する送信手段と、を具備する構成を採る。
【００１３】
本発明の伝送システムは、通信端末装置と基地局装置とを具備する伝送システムであって、前記通信端末装置は、受信信号の受信処理または送信信号の送信処理に伴う処理負荷を判定する判定手段と、判定した前記処理負荷に基づいてデータサイズを決定するとともに、決定した前記データサイズを通知する制御信号を生成する生成手段と、生成した前記制御信号を送信する第１の送信手段と、を具備し、前記基地局装置は、前記制御信号を受信する受信手段と、受信した前記制御信号に基づいて前記データサイズを決定する決定手段と、決定した前記データサイズのデータを送信する第２の送信手段と、を具備する構成を採る。
【００１４】
また、本発明の伝送システムは、通信端末装置と基地局装置とを具備する伝送システムであって、前記通信端末装置は、受信信号の受信処理または送信信号の送信処理に伴う処理負荷を判定する判定手段と、判定した前記処理負荷に基づいてデータサイズを決定するとともに、決定した前記データサイズを通知する制御信号を生成する生成手段と、生成した前記制御信号を送信する第１の送信手段と、を具備し、前記基地局装置は、前記制御信号を受信する受信手段と、受信した前記制御信号に基づいて、前記第１の送信手段により送信するデータの前記データサイズを決定する決定手段と、決定した前記データサイズの情報を送信する第２の送信手段と、を具備する構成を採る。
【００１５】
本発明の通信方法は、受信信号の受信処理または送信信号の送信処理に伴う処理負荷を判定するステップと、判定した前記処理負荷に基づいてデータサイズを決定するとともに、決定した前記データサイズを通知する制御信号を生成するステップと、生成した前記制御信号を送信するステップと、を具備するようにした。
【発明の効果】
【００１６】
本発明によれば、データ数の増加によりデータの欠落またはレートの低下の発生を防ぐことができる。
【図面の簡単な説明】
【００１７】
【図１】本発明の実施の形態１に係る通信端末装置の構成を示すブロック図
【図２】本発明の実施の形態１に係る基地局装置の構成を示すブロック図
【図３】本発明の実施の形態１に係る通信端末装置及び基地局装置の動作を示す図
【図４】本発明の実施の形態１に係るバッファのデータ蓄積量を示す図
【図５】本発明の実施の形態２に係る通信端末装置の構成を示すブロック図
【図６】本発明の実施の形態２に係る基地局装置の構成を示すブロック図
【図７】本発明の実施の形態２に係る通信端末装置及び基地局装置の動作を示す図
【発明を実施するための形態】
【００１８】
以下、本発明の実施の形態について、図面を参照して詳細に説明する。なお、以下の説明では、データの処理単位としてＰＤＵを用いた場合を例に説明する。また、本発明は、ＰＤＵをデータ処理単位とする場合に限らず、ＰＤＵ以外のデータ処理単位においても適用可能である。
【００１９】
（実施の形態１）
図１は、本発明の実施の形態１に係る通信端末装置１００の構成を示すブロック図である。
【００２０】
通信端末装置１００は、アンテナ１０１と、受信処理部１０２と、処理負荷判定部１０３と、制御信号生成部１０４と、送信処理部１０５と、アンテナ１０６とから主に構成される。また、送受信処理部１１０は、受信処理部１０２及び送信処理部１０５を含む。以下に、各構成について、詳細に説明する。
【００２１】
アンテナ１０１は、後述する基地局装置から送信された信号を受信して受信処理部１０２へ出力する。
【００２２】
受信処理部１０２は、アンテナ１０１から入力した受信信号に対し、復調、復号及びプロトコル変換等の受信処理を行って受信データとして出力する。この際、受信処理部１０２が取得する受信データは、後述する制御信号生成部１０４において、前回制御時に決定したＰＤＵサイズに基づいて、基地局装置が決定したＰＤＵサイズのデータである。
【００２３】
処理負荷判定部１０３は、受信処理部１０２及び送信処理部１０５における処理量の情報である処理量情報を送受信処理部１１０から取得する。また、処理負荷判定部１０３は、取得した処理量情報に基づいて、処理負荷の大きさを判定する。そして、処理負荷判定部１０３は、処理負荷の大きさの判定結果を処理負荷判定結果として制御信号生成部１０４へ出力する。なお、処理量情報を用いて処理負荷の大きさを判定する方法については後述する。
【００２４】
制御信号生成部１０４は、処理負荷判定部１０３から入力した処理負荷判定結果に基づいてＰＤＵサイズを決定する。この際、制御信号生成部１０４は、送受信処理部１１０において、単位時間当たりに処理可能なデータ数になるようなＰＤＵサイズを決定する。また、制御信号生成部１０４は、決定したＰＤＵサイズを通知する制御信号を生成する。そして、制御信号生成部１０４は、生成した制御信号を送信処理部１０５へ出力する。
【００２５】
送信処理部１０５は、制御信号生成部１０４から入力した制御信号に対し、プロトコル変換、符号化及び変調等の送信処理を行い、送信処理後の制御信号をアンテナ１０６へ出力する。また、送信処理部１０５は、入力した送信データに対し、プロトコル変換、符号化及び変調等の送信処理を行って送信信号を生成し、生成した送信信号をアンテナ１０６へ出力する。
【００２６】
アンテナ１０６は、送信処理部１０５から入力した制御信号及び送信信号を基地局装置へ送信する。
【００２７】
以上で、通信端末装置１００の説明を終える。
【００２８】
次に、基地局装置２００の構成について、図２を用いて説明する。図２は、基地局装置２００の構成を示すブロック図である。
【００２９】
基地局装置２００は、アンテナ２０１と、受信処理部２０２と、データサイズ決定部２０３と、送信処理部２０４と、アンテナ２０５とから主に構成される。また、送受信処理部２１０は、受信処理部２０２及び送信処理部２０４を含む。以下に、各構成について、詳細に説明する。
【００３０】
アンテナ２０１は、通信端末装置１００から送信された制御信号及び送信信号を受信して受信処理部２０２へ出力する。
【００３１】
受信処理部２０２は、アンテナ２０１から入力した受信信号に対し、復調、復号及びプロトコル変換等の受信処理を行って受信データとして出力する。また、受信処理部２０２は、アンテナ２０１から入力した制御信号に対し、復調、復号及びプロトコル変換等の受信処理を行い、受信処理後の制御信号をデータサイズ決定部２０３へ出力する。
【００３２】
データサイズ決定部２０３は、別途測定された伝搬路情報及び通信速度情報等の補助情報と、受信処理部２０２から入力した制御信号とに基づいて、送信データのＰＤＵサイズを決定する。そして、データサイズ決定部２０３は、決定したＰＤＵサイズを送信処理部２０４へ出力する。
【００３３】
送信処理部２０４は、入力した送信データを用いて、データサイズ決定部２０３から入力したＰＤＵサイズのデータを生成する。また、送信処理部２０４は、生成したデータに対し、プロトコル変換、符号化及び変調等の送信処理を行って送信信号を生成し、生成した送信信号をアンテナ２０５へ出力する。
【００３４】
アンテナ２０５は、送信処理部２０４から入力した送信信号を通信端末装置１００へ送信する。
【００３５】
以上で、基地局装置２００の構成の説明を終える。
【００３６】
次に、通信端末装置１００及び基地局装置２００の動作について、図３を用いて説明する。図３は、通信端末装置１００及び基地局装置２００の動作を示す図である。
【００３７】
最初に、基地局装置２００は、通信端末装置１００にデータを送信し、通信端末装置１００は、基地局装置２００から送信されたデータを受信する（ステップＳＴ３０１）。
【００３８】
また、通信端末装置１００の処理負荷判定部１０３は、送受信処理部１１０から取得した処理量情報から、処理負荷の大きさを判定する（ステップＳＴ３０２）。
【００３９】
また、制御信号生成部１０４は、処理負荷判定部１０３から入力した処理負荷判定結果を用いて、ＰＤＵサイズを制御する制御信号を生成する（ステップＳＴ３０３）。
【００４０】
ステップＳＴ３０３において、ＰＤＵサイズを制御する具体的な方法としては、例えば、高処理負荷と判断された場合は、制御信号生成部１０４は、ＰＤＵサイズを１つ大きくすることを意味する制御信号を生成し、低処理負荷と判断された場合は、ＰＤＵサイズを変更しない、またはＰＤＵサイズを１つ小さくすることを意味する制御信号を生成する。この場合、制御信号は１ビットの情報として出力される。
【００４１】
また、ＰＤＵサイズを制御する別の方法として、処理可能なＰＤＵサイズを直接制御信号とすることも可能である。この場合、制御信号生成部１０４は、選択可能なＰＤＵサイズのテーブルをあらかじめ記憶しておき、高処理負荷と判断された場合は、現在のＰＤＵサイズよりも大きいＰＤＵサイズをテーブルから選択し、低処理負荷と判断された場合は、現在のＰＤＵサイズ以下のＰＤＵサイズをテーブルから選択する。
【００４２】
図３に戻って、通信端末装置１００は、ステップＳＴ３０３において生成した制御信号を送信する（ステップＳＴ３０４）。
【００４３】
次に、基地局装置２００は、制御信号を受信し、受信処理部２０２は、受信した信号を復調し、通信端末装置１００から送信された制御信号を取得する。
【００４４】
また、データサイズ決定部２０３は、まず別途測定された伝搬路情報及び通信速度情報等の補助情報から、ＰＤＵサイズを選択する。そして、データサイズ決定部２０３は、選択したＰＤＵサイズと受信処理部２０２から入力した制御信号とを用いて、ＰＤＵサイズを決定する（ステップＳＴ３０５）。
【００４５】
ステップＳＴ３０５において、ＰＤＵサイズを決定する具体的な方法としては、データサイズ決定部２０３は、まず、補助情報を用いてＰＤＵサイズを決定する。データサイズ決定部２０３は、一般的に、通信速度が高い場合は、通信速度が低い場合に比べて、大きいＰＤＵサイズを選択する。また、データサイズ決定部２０３は、伝搬路の品質が悪い場合は、データの損失の影響を小さくするために、伝搬路の品質が良好な場合に比べて、小さいＰＤＵサイズを選択する。なお、通信速度の高低及び伝搬路の品質が良好であるのか劣悪であるのかは、例えば、通信速度としきい値との比較、及び伝搬路の品質としきい値との比較により判断する。
【００４６】
次に、データサイズ決定部２０３は、上記の方法により新たに選択したＰＤＵサイズと前回送信したデータのＰＤＵサイズとを比較するとともに、受信処理部２０２から入力した制御信号を利用して、最終的なＰＤＵサイズを決定する。なお、以下では、制御信号が、ＰＤＵサイズを大きくするか、または小さくするかを示す１ビットの情報であった場合を例にその動作を説明する。
【００４７】
即ち、「新たに選択したＰＤＵサイズ＞前回送信したデータのＰＤＵサイズ」の場合、データサイズ決定部２０３は、新たに選択したＰＤＵサイズを出力する。
【００４８】
また、「新たに選択したＰＤＵサイズ＜前回送信したデータのＰＤＵサイズ」の場合において、制御信号がＰＤＵサイズのｕｐを示す場合には、データサイズ決定部２０３は、新たに選択したＰＤＵサイズよりも１つ大きいＰＤＵサイズを出力する。また、「新たに選択したＰＤＵサイズ＜前回送信したデータのＰＤＵサイズ」の場合において、制御信号がＰＤＵサイズのｄｏｗｎを示す場合には、データサイズ決定部２０３は、新たに選択したＰＤＵサイズを出力する。
【００４９】
図３に戻って、基地局装置２００は、決定したＰＤＵサイズを他のデータとともに送信処理部２０４から通信端末装置１００に送信し（ステップＳＴ３０６）、続いて送信処理部２０４は、決定したＰＤＵサイズに基づき、データを生成して送信する（ステップＳＴ３０７）。この際、送信処理部２０４は、ＰＤＵごとにデータ処理を行う場合には、送信データをＰＤＵに分割して送信する（ステップＳＴ３０７）。
【００５０】
ＰＤＵごとにデータ処理を行う場合、一般的に、処理負荷は、単位時間あたりに処理するＰＤＵ数に比例するので、処理負荷が高い場合はＰＤＵ数を少なくすればよい。本実施の形態におけるＰＤＵ数が可変となるシステムにおいては、全データ量が同じでも、ＰＤＵサイズを大きくすることにより、ＰＤＵ数を小さくすることができる。従って、通信端末装置１００の処理負荷が高いときに、ＰＤＵサイズを大きくするような制御信号をネットワークに送信する。
【００５１】
以上で、通信端末装置１００及び基地局装置２００の動作の説明を終える。
【００５２】
次に、処理負荷判定部１０３が処理量情報を取得して処理負荷を判定する方法について説明する。
【００５３】
処理量情報は、例えば、占有率とすることが可能である。占有率は、アイドル時間（未処理時間）の長さを用いて、「占有率＝（(全処理時間−アイドル時間)／全処理時間）」の式により求めることができる。この際、通信端末装置１００の処理負荷が高い場合は、アイドル時間は短くなり、占有率は大きい数値となる。処理負荷判定部１０３は、しきい値以上の占有率の場合には、高処理負荷と判断し、しきい値未満の占有率の場合には、低処理負荷と判断し、その判断結果を処理負荷判定結果として出力する。
【００５４】
また、処理量情報の別の例として、処理量情報は、通信端末装置１００内のバッファのデータ蓄積量とすることが可能である。図４は、受信処理部１０２または送信処理部１０５に設けられるバッファのデータ蓄積量を示す図である。図４に示すように、送受信処理部１１０の処理負荷が高い場合は、送受信するデータを処理できないので、バッファにデータが蓄積される。従って、バッファのデータ蓄積量が大きい場合は、処理負荷が高いと判断できる。処理負荷判定部１０３は、バッファ蓄積量がしきい値以上の場合（図４（ｂ）の場合）に、高処理負荷と判断し、バッファ蓄積量がしきい値未満の場合（図４（ａ）の場合）に、低処理負荷と判断し、その判断結果を処理負荷判定結果として出力する。
【００５５】
また、処理量情報のさらに別の例として、処理量情報は、送受信処理部１１０におけるデータ処理遅延時間とすることが可能である。ここで、データ処理遅延時間は、あるデータが、上位のプロトコルレイヤ（例えばレイヤ２以上）において処理されてから、下位のプロトコルレイヤ（例えばレイヤ１）において処理されるまでの時間である。この際、送受信処理部１１０の処理負荷が高い場合は、処理遅延時間が増大する。処理負荷判定部１０３は、処理遅延時間がしきい値以上の場合は高処理負荷と判断し、処理遅延時間がしきい値未満の場合は低処理負荷と判断し、その判断結果を処理負荷判定結果として出力する。
【００５６】
このように、本実施の形態によれば、通信端末装置の処理負荷が高い場合に、通信端末装置における受信データのＰＤＵサイズを大きくすることにより、処理するＰＤＵ数を削減し、処理負荷を低減することができる。この結果、通信端末装置の処理負荷が高くなった場合において、データの欠落及びレート低下を防ぐことができるとともに、スループットを増大させることができる。
【００５７】
（実施の形態２）
図５は、本発明の実施の形態２に係る通信端末装置５００の構成を示すブロック図である。
【００５８】
通信端末装置５００は、アンテナ５０１と、受信処理部５０２と、処理負荷判定部５０３と、制御信号生成部５０４と、データサイズ設定部５０５と、送信処理部５０６と、アンテナ５０７とから主に構成される。また、送受信処理部５１０は、受信処理部５０２及び送信処理部５０６を含む。以下に、各構成について、詳細に説明する。
【００５９】
アンテナ５０１は、後述する基地局装置から送信されたＰＤＵサイズ情報及び送信信号を受信して受信処理部５０２へ出力する。
【００６０】
受信処理部５０２は、アンテナ５０１から入力した受信信号に対し、復調、復号及びプロトコル変換等の受信処理を行って受信データとして出力する。また、受信処理部５０２は、アンテナ５０１から入力したＰＤＵサイズ情報に対し、復調、復号及びプロトコル変換等の受信処理を行い、受信処理後のＰＤＵサイズ情報をデータサイズ設定部５０５へ出力する。
【００６１】
処理負荷判定部５０３は、送信信号を送信した際の送受信処理部５１０の負荷を示す処理量情報を送受信処理部５１０から取得する。ここで、処理量情報は、受信処理部５０２及び送信処理部５０６における処理量の情報である。また、処理負荷判定部５０３は、取得した処理量情報に基づいて、処理負荷の大きさを判定する。そして、処理負荷判定部５０３は、処理負荷の大きさの判定結果を処理負荷判定結果として制御信号生成部５０４へ出力する。
【００６２】
制御信号生成部５０４は、処理負荷判定部５０３から入力した処理負荷判定結果に基づいてＰＤＵサイズを決定する。この際、制御信号生成部５０４は、送受信処理部５１０において、単位時間当たりに処理可能なデータ数になるようなＰＤＵサイズを決定する。また、制御信号生成部５０４は、決定したＰＤＵサイズを通知する制御信号を生成する。そして、制御信号生成部５０４は、生成した制御信号を送信処理部５０６へ出力する。制御信号生成部５０４において生成する制御信号は、通信端末装置５００より送信するデータのＰＤＵサイズを、基地局装置に通知するためのものである。
【００６３】
データサイズ設定部５０５は、受信処理部５０２から入力したＰＤＵサイズ情報のＰＤＵサイズを、送信するデータのＰＤＵサイズとして設定する。また、データサイズ設定部５０５は、設定したＰＤＵサイズを送信処理部５０６へ出力する。
【００６４】
送信処理部５０６は、制御信号生成部５０４から入力した制御信号に対し、プロトコル変換、符号化及び変調等の送信処理を行い、送信処理後の制御信号をアンテナ５０７へ出力する。また、送信処理部５０６は、入力した送信データを用いて、データサイズ設定部５０５から入力したＰＤＵサイズのデータを生成する。また、送信処理部５０６は、生成したデータに対し、プロトコル変換、符号化及び変調等の送信処理を行って送信信号を生成し、生成した送信信号をアンテナ５０７へ出力する。
【００６５】
アンテナ５０７は、送信処理部５０６から入力した制御信号及び送信信号を基地局装置へ送信する。
【００６６】
以上で、通信端末装置５００の説明を終える。
【００６７】
次に、基地局装置６００の構成について、図６を用いて説明する。図６は、基地局装置６００の構成を示すブロック図である。
【００６８】
基地局装置６００は、アンテナ６０１と、受信処理部６０２と、データサイズ決定部６０３と、送信処理部６０４と、アンテナ６０５とから主に構成される。また、送受信処理部６１０は、受信処理部６０２及び送信処理部６０４を含む。以下に、各構成について、詳細に説明する。
【００６９】
アンテナ６０１は、通信端末装置５００から送信された制御信号及び送信信号を受信して受信処理部６０２へ出力する。
【００７０】
受信処理部６０２は、アンテナ６０１から入力した受信信号に対し、復調、復号及びプロトコル変換等の受信処理を行って受信データとして出力する。また、受信処理部６０２は、アンテナ６０１から入力した制御信号に対し、復調、復号及びプロトコル変換等の受信処理を行い、受信処理後の制御信号をデータサイズ決定部６０３へ出力する。
【００７１】
データサイズ決定部６０３は、別途測定された伝搬路情報及び通信速度情報等の補助情報と、受信処理部６０２から入力した制御信号とに基づいて、送信データのＰＤＵサイズを決定する。そして、データサイズ決定部６０３は、決定したＰＤＵサイズのＰＤＵサイズ情報を生成して送信処理部６０４へ出力する。
【００７２】
送信処理部６０４は、データサイズ決定部６０３から入力したＰＤＵサイズ情報に対し、プロトコル変換、符号化及び変調等の送信処理を行い、送信処理後のＰＤＵサイズ情報をアンテナ６０５へ出力する。また、送信処理部６０４は、入力した送信データに対し、プロトコル変換、符号化及び変調等の送信処理を行って送信信号を生成し、生成した送信信号をアンテナ６０５へ出力する。
【００７３】
アンテナ６０５は、送信処理部６０４から入力したＰＤＵサイズ情報及び送信信号を通信端末装置５００へ送信する。
【００７４】
以上で、基地局装置６００の構成の説明を終える。
【００７５】
次に、通信端末装置５００及び基地局装置６００の動作について、図７を用いて説明する。図７は、通信端末装置５００及び基地局装置６００の動作を示す図である。
【００７６】
最初に、通信端末装置５００は、基地局装置６００にデータを送信する（ステップＳＴ７０１）。
【００７７】
次に、通信端末装置５００の処理負荷判定部５０３は、送受信処理部５１０から取得した処理量情報から、処理負荷の大きさを判定する（ステップＳＴ７０２）。
【００７８】
次に、制御信号生成部５０４は、処理負荷判定部５０３から入力した処理負荷判定結果を用いて、ＰＤＵサイズを制御する制御信号を生成する（ステップＳＴ７０３）。
【００７９】
次に、通信端末装置５００は、制御信号を送信する（ステップＳＴ７０４）。
【００８０】
次に、基地局装置６００は、制御信号を受信し、受信処理部６０２は、受信した信号を復調し、通信端末装置５００から送信された制御信号を取得する。
【００８１】
また、データサイズ決定部６０３は、まず別途測定された伝搬路情報及び通信速度情報等の補助情報から、ＰＤＵサイズを選択する（ステップＳＴ７０５）。また、データサイズ決定部６０３は、選択したＰＤＵサイズと受信処理部６０２から入力した制御信号とを用いて、ＰＤＵサイズを決定する。また、データサイズ決定部６０３は、決定したＰＤＵサイズのＰＤＵサイズ情報を生成する。
【００８２】
また、基地局装置６００は、生成したＰＤＵサイズ情報を他のデータとともに送信処理部６０４から通信端末装置５００に送信する（ステップＳＴ７０６）。
【００８３】
次に、通信端末装置５００は、ＰＤＵサイズ情報を受信し、データサイズ設定部５０５は、ＰＤＵサイズ情報のＰＤＵサイズを、送信するデータのＰＤＵサイズとして設定する（ステップＳＴ７０７）。
【００８４】
次に、送信処理部５０６は、データサイズ設定部５０５において設定したＰＤＵサイズのデータを生成し、生成したデータを基地局装置６００へ送信する（ステップＳＴ７０８）。
【００８５】
なお、ＰＤＵサイズを制御する具体的な方法及び処理量情報を用いて処理負荷の大きさを判定する方法は、上記の実施の形態１と同一であるので、その説明を省略する。
【００８６】
このように、本実施の形態によれば、通信端末装置の処理負荷が高い場合において、通信端末装置における送信データのＰＤＵサイズを大きくすることにより、処理するＰＤＵ数を削減し、処理負荷を低減することができる。この結果、通信端末装置の処理負荷が高くなった場合において、データの欠落及びレート低下を防ぐことができるとともに、スループットを増大させることができる。
【産業上の利用可能性】
【００８７】
本発明にかかる通信端末装置、伝送システム及び通信方法は、例えばＰＤＵサイズが可変であるシステムにおいて好適である。
【符号の説明】
【００８８】
１００  通信端末装置
１０１  アンテナ
１０２  受信処理部
１０３  処理負荷判定部
１０４  制御信号生成部
１０５  送信処理部
１０６  アンテナ
１１０  送受信処理部
【図１】
2011055119.tif 000003
【図２】
2011055119.tif 000004
【図３】
2011055119.tif 000005
【図４】
2011055119.tif 000006
【図５】
2011055119.tif 000007
【図６】
2011055119.tif 000008
【図７】
2011055119.tif 000009